(57)【特許請求の範囲】
【請求項１】
−  出口を備えた人工呼吸器であって、この出口を通って
・  患者の呼気に対応する汚染された呼気パルスを受け取り、
・  この汚染された呼気パルスに応答して、上記患者の吸気に対応する新鮮な吸気パルスを発生する人工呼吸器と、
−  呼吸器プローブであって、その遠位端は上記の患者の呼吸器系に挿入されるようになされ、その近位端は上記の人工呼吸器の出口に連結されている呼吸器プローブ
とからなり、
−  上記の呼吸器プローブは２つの別個の通路からなり、
・  上記の２つの別個の通路のうち一方の通路の遠位端と他方の通路の遠位端とが、共通して、上記の患者の呼吸器系に挿入されるようになされ、
・  上記の一方の通路の近位端が、一方向バルブを介して上記の人工呼吸器の出口に連結され、かつ、上記の他方の通路の近位端が、上記の一方向バルブとは別個の一方向バルブを介して上記の人工呼吸器の出口に連結されており、
−  上記一方向バルブの一方は、それが連結されている通路の近位端から遠位端への方向に吸気を流し、その他方は、それが連結されている、上記の通路の他方の遠位端から近位端への方向に呼気を流し、
−  上記の２つの別個の通路は、それぞれの上記一方向バルブよりも遠位端側の部分で同軸であり、
−  上記の２つの別個の通路は、それぞれ、可撓性チューブにより構成された中央通路、および上記可撓性チューブを囲む可撓性スリーブにより構成された周方向通路を有し、
−  上記可撓性スリーブの遠位端は上記可撓性チューブの遠位端に硬く結合されており、この可撓性チューブはその遠位端近くに、上記の可撓性スリーブの内側に配置されて上記中央通路と上記周方向通路とを連通させる少なくとも１つの横断通路を備え、
−  前記中央通路が呼気を流すための呼気用通路であり、前記周方向通路が吸気を流すための吸気用通路であることを特徴とする呼吸器アセンブリ。
【請求項２】
上記の呼吸器プローブが口腔タイプのものであることを特徴とする請求項１に記載の呼吸器アセンブリ。
【請求項３】
上記の呼吸器プローブが鼻腔タイプのものであることを特徴とする請求項１に記載の呼吸器アセンブリ。
【請求項４】
−  出口を備えた人工呼吸器であって、この出口を通って
・  患者の呼気に対応する汚染された呼気パルスを受け取り、
・  この汚染された呼気パルスに応答して、上記患者の吸気に対応する新鮮な吸気パルスを発生する人工呼吸器を備えた呼吸器アセンブリ用の呼吸器プローブであって、
−  上記の呼吸器プローブの遠位端は上記の患者の呼吸器系に挿入されるようになされ、上記の呼吸器プローブの近位端は上記の人工呼吸器の出口に連結され、
−  上記の呼吸器プローブは２つの別個の通路からなり、
・  上記の２つの別個の通路のうち一方の通路の遠位端と他方の通路の遠位端とが、共通して、上記の患者の呼吸器系に挿入されるようになされ、
・  上記の一方の通路の近位端が、一方向バルブを介して上記の人工呼吸器の出口に連結され、かつ、上記の他方の通路の近位端が、上記の一方向バルブとは別個の一方向バルブを介して上記の人工呼吸器の出口に連結されており、
−  上記一方向バルブの一方は、それが連結されている通路の近位端から遠位端への方向に吸気を流し、その他方は、それが連結されている、上記の通路の他方の遠位端から近位端への方向に呼気を流し、
−  上記の２つの別個の通路は、それぞれの上記一方向バルブよりも遠位端側の部分で同軸であり、
−  上記の２つの別個の通路は、それぞれ、可撓性チューブにより構成された中央通路、および上記可撓性チューブを囲む可撓性スリーブにより構成された周方向通路を有し、
−  上記可撓性スリーブの遠位端は上記可撓性チューブの遠位端に硬く結合されており、この可撓性チューブはその遠位端近くに、上記の可撓性スリーブの内側に配置されて上記中央通路と上記周方向通路とを連通させる少なくとも１つの横断通路を備え、
−  前記中央通路が呼気を流すための呼気用通路であり、前記周方向通路が吸気を流すための吸気用通路であることを特徴とする呼吸器アセンブリ用の呼吸器プローブ。
【発明の詳細な説明】
【技術分野】
【０００１】
本発明は、人工呼吸器と呼吸器プローブとからなる呼吸器アセンブリ、及び、呼吸器プローブに関し、この呼吸器プローブは患者の呼吸器系に挿入されるようになされた遠位端と、上記の人工呼吸器の出口に連結された近位端とを有し、この人工呼吸器は、患者により吐かれ、汚染された呼気パルスに応答して、上記の患者の吸気に対応する新鮮な吸気パルスを発生させる。
【背景技術】
【０００２】
この種の呼吸器アセンブリでは、新鮮な吸気と(炭酸ガスを負荷せられた)汚染呼気とは上記のプローブ中を反対方向ではなく、交互に流れる。更に、呼気中、汚染された呼気の全てが排気されないことが普通である。
【発明の開示】
【発明が解決しようとする課題】
【０００３】
よって、この結果、排気されなかった汚染呼気は、連続する新鮮な吸気の導入に対抗し、その結果患者には十分な酸素が与えられない。この欠点を回避しようとして、汚染された呼気を追い出すため、上記の人工呼吸器が新鮮な吸気を送る圧力を高める。然し、それでは、特に患者が子供である場合、患者を傷つける危険がある。
【０００４】
本発明の目的は、この欠点を克服することである。
【課題を解決するための手段】
【０００５】
この目的のため、本発明による呼吸器アセンブリは、
−  出口を備えた人工呼吸器であって、この出口を通って
・  患者の呼気に対応する汚染された呼気パルスを受け取り、
・  この汚染された呼気パルスに応答して、上記患者の吸気に対応する新鮮な吸気パルスを発生する人工呼吸器と、
−  呼吸器プローブであって、その遠位端は上記の患者の呼吸器系に挿入されるようになされ、その近位端は上記の人工呼吸器の出口に連結されている呼吸器プローブと
からなり、
−  上記の呼吸器プローブは２つの別個の通路からなり、
・  上記の２つの別個の通路のうち一方の通路の遠位端と他方の通路の遠位端とが、共通して、上記の患者の呼吸器系に挿入されるようになされ、
・  上記の一方の通路の近位端が、一方向バルブを介して上記の人工呼吸器の出口に連結され、かつ、上記の他方の通路の近位端が、上記の一方向バルブとは別個の一方向バルブを介して上記の人工呼吸器の出口に連結されており、
−  上記の一方向バルブの一方は、それが連結されている通路の近位端から遠位端への方向に吸気を流し、その他方は、それが連結されている、上記の通路の他方の遠位端から近位端への方向に呼気を流し、
−  上記の２つの別個の通路は、それぞれの上記一方向バルブよりも遠位端側の部分で同軸であり、
−  上記の２つの別個の通路は、それぞれ、可撓性チューブにより構成された中央通路、および上記可撓性チューブを囲む可撓性スリーブにより構成された周方向通路を有し、
−  上記可撓性スリーブの遠位端は上記可撓性チューブの遠位端に硬く結合されており、この可撓性チューブはその遠位端近くに、上記の可撓性スリーブの内側に配置されて上記中央通路と上記周方向通路とを連通させる少なくとも１つの横断通路を備え、
−  前記中央通路が呼気を流すための呼気用通路であり、前記周方向通路が吸気を流すための吸気用通路であることを特徴とする。
【発明の効果】
【０００６】
よって、本発明によれば、残存する汚染呼気は、近位端から遠位端へ(吸気)を流す上記の一方向バルブを備えた呼吸通路を通っての新鮮な吸気の導入に対抗できない。更に、導入された新鮮な吸気の作用によって残存し得る汚染呼気の、他方の呼吸通路を通っての排気に対抗するものは何も無い。よって、吸気を過剰圧で噴射する必要性が無い。
【０００７】
上記のプローブは口腔あるいは鼻腔タイプのものでもよい。
【発明を実施するための最良の形態】
【０００８】
添付図面の図により本発明がどのように実施されるかが良く理解される。これらの図中、同一符号は同一要素を示す。
図１に示されている、第１参考実施例による呼吸器プローブＩは、それぞれ、可撓性チューブ１および２から構成された、平行な２つの別個の呼吸通路からなる。
【０００９】
上記のチューブ１と２は、それらの近位端で、共通して、(非常に部分的に示されている)人工呼吸器４の出口３に、一方向バルブ５と６とを介して連結されている。上記の可撓性チューブ１に装着されているバルブ５は、この可撓性チューブ１の近位端１ｐから遠位端１ｄに向けて(吸気を)流し、反対方向の流れは止める。他方、上記の可撓性チューブ２に装着されているバルブ６は、この可撓性チューブ２の遠位端２ｂから近位端２ｐに向けて(呼気を)流し、反対方向の流れは止める。
【００１０】
プローブＩは口腔タイプのものでもよいが、図２に略示されているように、鼻腔プローブとしての使用に特に適切である。この図では、患者の肺Ｐが略示されており、上記のチューブ１と２との遠位端１ｄと２ｄとはそれぞれ患者の鼻孔に挿入されている。
【００１１】
よって、上記の人工呼吸器４がプローブＩに、患者の吸気に対応する吸気パルスを送ると、このパルスは、図１の矢印ｆ１により示されているように、バルブ５とチューブ１とを通って上記の肺Ｐに伝達される。
【００１２】
他方、肺Ｐに存在する上記の呼気パルスに対応する汚染された呼気は肺から追い出されて、図１の矢印ｆ２により示されているように、チューブ２とバルブ６とを通って人工呼吸器４に送られる。この人工呼吸器４は、患者の排気に対応する汚染された呼気の到着を検知し、患者の吸気に対応する新しい吸気パルスを上記の肺Ｐに送れる。
【００１３】
上記のプローブＩにより、患者の肺Ｐへの吸気の導入はこの肺に存在する汚染された呼気により阻害されことはなく、他方、汚染された呼気は簡単に肺から取り除けられることが容易に分る。
【００１４】
図３は、第２参考実施例によるプローブIIを示し、このプローブIIでは、可撓性チューブ１０と２０とにより、それぞれ、形成された２つの別個の可撓性呼吸通路が、プローブＩの通路１と２のように平行である代わりに同軸である。この図３では、図１に関し記載されていて、上記のチューブ１０と２０の近位端１０ｐと２０ｐとが連結されている構成３、４、５および６が再度存在する。
【００１５】
上記のプローブIIは鼻腔タイプのものでもよいが、図４に示されているように、口腔タイプのものが望ましい。事実、この場合、同軸の可撓性チューブの遠位端１０ｄおよび２０ｄがカリーナ(竜骨状の突起)Ｃの近辺にくるまで、患者の呼吸器系に挿入される。よって、プローブIIの遠位端と肺Ｐとの間のデッド・スペースが最小限に減少される。
【００１６】
こうして、人工呼吸器４がプローブIIに、患者の吸気に対応する吸気パルスを送ると、このパルスは、図３の矢印ｆ１０に示されているように、バルブ５と周方向のチューブ１０とを介してカリーナ(竜骨状の突起)Ｃに伝達される。
【００１７】
他方、肺Ｐに存在する汚染された呼気は、図３矢印ｆ２０により示されているように、カリーナＣから中央チューブ２０を通って、肺から追い出される。それから、新しい吸気パルスが、肺Ｐに人工呼吸器４により送られる(矢印ｆ１０)。
【００１８】
図５は、本発明によるプローブIIIを示す。このプローブIIIには、上記の構成３、４、５、６および２０が再度存在する。他方、周方向チューブ１０は可撓性スリーブ１１と代わっており、この可撓性スリーブ１１は中央チューブ２０を囲み、その近位端１１ｐはバルブ５に連結されており、その遠位端１１ｄは上記のチューブ２０の遠位端２０ｄに流体密に硬く結合されている。上記のチューブ２０はその遠位端２０ｄ近くに、可撓性スリーブ１１の内側に位置する横断通路１２を備える。この場合、上記の人工呼吸器４により生じた(矢印ｆ１０)吸気パルスが通路１２を横断し、中央チューブ２０の遠位端２０ｄを通って肺に送られる。プローブＩＩＩは、図４に示されているように、プローブＩＩと同じように用いられることは容易に理解される。
【図面の簡単な説明】
【００１９】
【図１】第１参考実施例の長手方向略横断面図である。
【図２】上記のプローブが鼻腔タイプのものである場合の、図１に示されている呼吸器アセンブリの患者への挿入を示す。
【図３】第２参考実施例の長手方向略横断面図である。
【図４】図４は、上記のプローブが口腔タイプのものである場合の、図３に示されている呼吸器プローブの患者への挿入を示す。
【図５】本発明の実施例の長手方向略横断面図である。
【符号の説明】
【００２０】
１・２・１０・１１・２０…通路、３…出口、４…人工呼吸器、５・６…一方向バルブ、１１ｄ・２０ｄ…遠位端、１２…横断通路、Ｉ・II・III…プローブ。
【図１】
0005613796.tif 000002
【図２】
0005613796.tif 000003
【図３】
0005613796.tif 000004
【図４】
0005613796.tif 000005
【図５】
0005613796.tif 000006